(57)【要約】液体乾燥剤空調システムは、均一な液体乾燥剤の流れの分散及びシステムの膜モジュールにおいて使用される膜の浸潤性をもたらす。【選択図】図１４Ａ
2021501684.tif 000002
【特許請求の範囲】
【請求項１】
乾燥剤空調システムにおける使用のための熱交換器であって、
全体的に並列に配列され、前記乾燥剤空調システムによって扱われることになる空気の流れがそれを通じて流れることができる、その間で空気チャネルを画定するように間隔が空けられた、相互に対向した複数の膜被覆構造であって、前記膜被覆構造の各々は、
熱伝達流体がそれを通じて流れることができる熱伝達流体チャネルを画定する窪み内部部分を有する構造であって、前記構造はまた、１つ以上の外部疎水性ポリマ表面を有する、前記構造と、
液体乾燥剤がそれを通じて流れることができる、その間で液体乾燥剤の隙間を画定するよう前記構造の前記１つ以上の外部表面を被覆する１つ以上の疎水性ポリマ膜であって、各膜は、液体乾燥剤流量チャネルを画定するよう前記外部表面上で５０ミリメートルよりも少なく間隔が空けられた別個の位置において前記構造の前記外部表面に熱封止され、前記液体乾燥剤流量チャネルは、０．５ミリメートルを上回らない、前記外部表面から前記膜まで測定されたチャネルの高さを有する、前記１つ以上の疎水性ポリマ膜と、を含む、前記複数の膜被覆構造と、
前記熱交換器の液体乾燥剤入口に接続された液体乾燥剤圧力調節器であって、前記圧力調節器は、液体乾燥剤温度及び濃度状態の所与の範囲にわたって前記液体乾燥剤流量チャネルの各々を充填するのに十分な流量において所与の事前設定された値を上回らない前記液体乾燥剤流量チャネルにおいて陽圧を維持するように構成され、前記液体乾燥剤圧力調節器は、前記液体乾燥剤流量チャネルにおいて一定の液体乾燥剤圧力を維持するために、前記熱交換器に流れる前記液体乾燥剤の一部を液体乾燥剤タンクに転換するように構成される、前記液体乾燥剤圧力調節器と、
を備える、前記熱交換器。
【請求項２】
各膜は、液体乾燥剤流量チャネルを画定するよう前記外部表面上で３０ミリメートルよりも少なく間隔が空けられた別個の位置において前記構造の前記外部表面に熱封止される、請求項１に記載の熱交換器。
【請求項３】
前記液体乾燥剤流量チャネルは、０．３ミリメートルを上回らない、前記外部表面から前記膜まで測定されたチャネルの高さを有する、請求項１に記載の熱交換器。
【請求項４】
前記液体乾燥剤流量チャネルにおける流量は、ポンプと前記液体乾燥剤圧力調節器との間の一定流量デバイスによって更に維持されることができる、請求項１に記載の熱交換器。
【請求項５】
前記圧力調節器は、オーバフロー管またはバネ活性化背圧調節器を含む、請求項１に記載の熱交換器。
【請求項６】
前記圧力調節器は、前記液体乾燥剤流量チャネルに流れる前記液体乾燥剤の流量を２〜１０ミリメートル／秒に制限し、前記膜の浸潤性の均一性及び前記液体乾燥剤流量チャネルを通じて流れる前記液体乾燥剤の均一性及を向上させるよう、温度及び液体乾燥剤濃度レベルの範囲にわたって各液体乾燥剤流量チャネルの前記入口において陽圧を維持するように構成される、請求項１に記載の熱交換器。
【請求項７】
前記圧力調節器は、前記液体乾燥剤がＬｉＣｌを含むとき、約１５〜４０％にわたる乾燥剤濃度に対して、冷却動作の間に華氏５０〜１４０度及び加熱動作の間に華氏０〜１００の温度範囲にわたってポンド／分の空気の流量の５分の１／２０分の１に前記液体乾燥剤の流量を維持するように構成される、請求項１に記載の熱交換器。
【請求項８】
前記圧力調節器は、加湿、除湿、冷却、または加熱によって空気を調整するために必要な液体乾燥剤温度及び濃度レベルの範囲にわたってポンド／分の気流の流量の５分の１よりも少なく前記液体乾燥剤の流量を維持するように構成される、請求項１に記載の熱交換器。
【請求項９】
前記膜が各構造の前記外部表面に熱封止される前記別個の位置は、ラインまたはドットのパターンを含む、請求項１に記載の熱交換器。
【請求項１０】
各構造の前記外部表面は、前記膜が熱封止される前記別個の位置において複数の膨隆機構を含む、請求項１に記載の熱交換器。
【請求項１１】
前記膨隆機構は、各構造の前記外部表面の表面領域の１５％未満を含む、請求項１０に記載の熱交換器。
【請求項１２】
各構造における前記熱伝達流体の隙間は、０．５ミリメートル〜２ミリメートルの厚みを有する、請求項１に記載の熱交換器。
【請求項１３】
各構造は、パネルを含み、前記パネルは、垂直方位を有する、請求項１に記載の熱交換器。
【請求項１４】
各構造は、パネルを含み、前記パネルは、水平方位を有する、請求項１に記載の熱交換器。
【請求項１５】
各構造の前記窪み内部部分は、金属層によって画定され、前記熱伝達流体は、冷却剤を含む、請求項１に記載の熱交換器。
【請求項１６】
各構造は、管状形状を有する、請求項１に記載の熱交換器。
【請求項１７】
各構造は、平面構造を有する、請求項１に記載の熱交換器。
【請求項１８】
各構造は、それらの周囲の周りで共に封止された２つのポリマプレートを含む、請求項１に記載の熱交換器。
【請求項１９】
各構造は、湾曲プレート形状を有する、請求項１に記載の熱交換器。
【請求項２０】
各構造は、前記熱伝達流体の隙間を形成するように形成された真空である、請求項１に記載の熱交換器。
【請求項２１】
前記圧力調節器は、前記液体乾燥剤流量チャネルに流れる前記液体乾燥剤の流量を５〜１０ミリメートル／秒に制限するように構成される、請求項１に記載の熱交換器。
【発明の詳細な説明】
【技術分野】
【０００１】
関連出願の相互参照
本出願は、参照によって以下に組み込まれる、２０１７年１１月１日に出願された、「ＭＥＴＨＯＤＳ  ＡＮＤ  ＡＰＰＡＲＡＴＵＳ  ＦＯＲ  ＤＩＳＴＲＩＢＵＴＩＯＮ  ＯＦ  ＬＩＱＵＩＤ  ＤＥＳＩＣＣＡＮＴ  ＩＮ  ＭＥＭＢＲＡＮＥ  ＭＯＤＵＬＥＳ  ＩＮ  ＬＩＱＵＩＤ  ＤＥＳＩＣＣＡＮＴ  ＡＩＲ−ＣＯＮＤＩＴＩＯＮＩＮＧ  ＳＹＳＴＥＭＳ」と題する米国仮特許出願第６２／５８０，２２２号からの優先権を主張する。
【０００２】
本出願は概して、液体乾燥剤空調システムに関し、より具体的には、そのような空調システムの調整器及び再生器において使用される膜モジュールに関する。
【背景技術】
【０００３】
液体乾燥剤空調システムは、例えば、参照によって本明細書に組み込まれる米国特許第９，２７３，８７７号において開示されているように本分野で既知である。それらのシステムは、エネルギー使用及びコストにおいて著しい節約をもたらすことが証明されてきた。
【発明の概要】
【０００４】
本明細書で開示される様々な実施形態は、均一な液体乾燥剤の流れ分散及び膜モジュールにおいて使用される膜の浸潤性をもたらす液体乾燥剤空調システムに関連する。システムは、パネルにおける液体乾燥剤圧力制御を、間隔が空けられた機構のパターンによって形成された明確に画定された非常に狭い均一な液体乾燥剤チャネルと組み合わせる。例えば、１〜３インチで間隔が空けられるそれらの機構は、それらに対して熱封止された膜によりパネル上で熱成型またはエンボス加工されてもよい。代わりに、機構は、その他の場合の平坦パネルシート上で熱封止されたパターンであってもよい。圧力制御デバイスは、例えば、オーバフロー管またはバネ活性化圧力制御であってもよい。膜とシートとの間の狭い均一な乾燥剤チャネルによる圧力及び流量制御の組み合わせは、ウィッキング材料を使用するのではなく、またはプレート材料の疎水性を低減させるための表面処理によってではなく、またはよりコスト高の材料を使用するのではなく、９０％に加え、一定の圧力液体乾燥剤の流れを可能にする液体乾燥剤チャネルの幾何学形状を通じて液体乾燥剤によって膜の被覆を保証することができる。
【０００５】
１つ以上の実施形態では、薄い皮膜は、２０〜３５％の濃度の液体乾燥剤において、及び０．１〜０．２ミリメートルの液体乾燥剤の皮膜において摂氏０〜６０度の温度に対して約１〜１５ミリメートル／分の流れを達成する。より低い温度及びより高い濃度は、より広いチャネルを必要とする。より高い温度及びより低い濃度は、より高い流量またはより狭いチャネルのいずれかを必要とする。０．１〜０．２ミリメートルのチャネルを生成する例示的な解決策は、短いパネルに対して０．１４ミリメートル高にある７０００ドットまたは０ミリメートル高にある１〜２００ドットを含む。液体乾燥剤の膜伸縮、疎水性、濃度、及び温度を使用した流量モデルは、特定の適用に対してパネルを最適化するために使用されてもよい。
【０００６】
液体乾燥剤の異なる温度及び濃度について、流量は、チャネルを通じて流れを駆動する圧力に応じて異なる。一定の圧力低下において、流量は、高温度及び低濃度においてチャネルごとに約０．０５リットル／分から高濃度及び低温度において０．０１リットル／分まで下がる。非常に低い流量は、液体乾燥剤の濃度における変化を増大させ、よって、加湿または除湿の割合を低減させる。よって、パネルの潜在的な有効性が低減する。調整器における液体乾燥剤の高い流量は、熱損失を生じさせ、例えば、熱い液体乾燥剤が再生器から調整器に移動するとき、圧縮器の蒸発器側に対する負荷が増大する。これは、効率性損失を表す。約２５％の濃度及び約摂氏２０度の温度について、約０．０３リットル／パネルの乾燥剤の流量を維持することが望ましい。その割合において、パネルは、良好な被覆をもたらすことができる。
【０００７】
１つ以上の実施形態による乾燥剤空調システムにおける使用のための熱交換器は、全体的に並列に配列され、乾燥剤空調システムによって扱われることになる空気の流れがそれを通じて流れることができる、その間で空気チャネルを画定するように間隔が空けられた、相互に対向した複数の膜被覆構造を含む。膜被覆構造の各々は、熱伝達流体がそれを通じて流れることができる熱伝達流体チャネルを画定する窪み内部部分を有する構造を含む。構造はまた、１つ以上の外部疎水性ポリマ表面を有する。各膜被覆構造はまた、液体乾燥剤がそれを通じて流れることができる、その間で液体乾燥剤の隙間を画定するよう構造の１つ以上の外部表面を被覆する１つ以上の疎水性ポリマ膜を含む。各膜は、液体乾燥剤流量チャネルを画定するよう外部表面上で５０ミリメートルよりも少なく間隔が空けられた別個の位置において構造の外部表面に熱封止され、液体乾燥剤流量チャネルは、０．５ミリメートルを上回らない、外部表面から膜まで測定されたチャネルの高さを有する。熱交換器はまた、熱交換器の液体乾燥剤入口に接続された液体乾燥剤圧力調節器を含む。圧力調節器は、液体乾燥剤温度及び濃度状態の所与の範囲にわたって液体乾燥剤流量チャネルの各々を充填するのに十分な流量において所与の事前設定された値を上回らない液体乾燥剤流量チャネルにおいて陽圧を維持するように構成される。液体乾燥剤圧力調節器は、液体乾燥剤流量チャネルにおいて一定の液体乾燥剤圧力を維持するために、熱交換器に流れる液体乾燥剤の一部を液体乾燥剤タンクに転換するように構成される。
【図面の簡単な説明】
【０００８】
【図１】冷却機または外部加熱源もしくは冷却源を使用した、例示的な従来技術の３方向液体乾燥剤空調システムを例示する。
【図２】図１の液体乾燥剤システムにおける例示的な単一の膜プレートを例示する。
【図３】Ａ〜Ｄは、様々な従来技術の膜パネル構成を例示する。
【図４】液体乾燥剤空調システムを通じた水平及び垂直の流体の流れを例示する。
【図５】パネルアセンブリにおいて膜膨張を防止するサイフォン液体乾燥剤の使用を例示する。
【図６】従来技術の膜パネルアセンブリにおける全体的に水平の流体の流れを示す。
【図７】例示的な従来技術のパネルアセンブリの構成を例示する。
【図８】膨隆機構を有する従来技術のパネルアセンブリを例示する。
【図９】液体乾燥剤チャネルを有するパネルアセンブリを示す。
【図１０】典型的な液体乾燥剤ＬｉＣｌについての粘度、温度、及び濃度の間の関係を示すグラフである。
【図１１Ａ】液体乾燥剤空調ユニットを通じた液体乾燥剤の流れを示す、１つ以上の実施形態によるユニットを例示する。
【図１１Ｂ】ユニットにおいてポンプを含む、単一のタンクシステムについての同一の流路を概略的に示す。
【図１１Ｃ】１つ以上の実施形態による、液体乾燥剤空調ユニットにおける液体乾燥剤圧力制御デバイスを示す。
【図１２】液体乾燥剤のリットル／分の流量と水柱インチの圧力との間の関係を示す。
【図１３】図１１におけるパネルについての典型的な圧力／流量パターンを示す。
【図１４Ａ】１つ以上の実施形態に従った、液体乾燥剤空調ユニットについての様々な例示的な膜構造を例示する。
【図１４Ｂ】１つ以上の実施形態に従った、液体乾燥剤空調ユニットについての様々な例示的な膜構造を例示する。
【図１４Ｃ】１つ以上の実施形態に従った、液体乾燥剤空調ユニットについての様々な例示的な膜構造を例示する。
【図１４Ｄ】１つ以上の実施形態に従った、液体乾燥剤空調ユニットについての様々な例示的な膜構造を例示する。
【図１４Ｅ】１つ以上の実施形態に従った、液体乾燥剤空調ユニットについての様々な例示的な膜構造を例示する。
【図１４Ｆ】１つ以上の実施形態に従った、液体乾燥剤空調ユニットについての様々な例示的な膜構造を例示する。
【図１４Ｇ】１つ以上の実施形態に従った、液体乾燥剤空調ユニットについての様々な例示的な膜構造を例示する。
【図１４Ｈ】１つ以上の実施形態に従った、液体乾燥剤空調ユニットについての様々な例示的な膜構造を例示する。
【図１４Ｉ】１つ以上の実施形態に従った、液体乾燥剤空調ユニットについての様々な例示的な膜構造を例示する。
【図１４Ｊ】１つ以上の実施形態に従った、液体乾燥剤空調ユニットについての様々な例示的な膜構造を例示する。
【図１４Ｋ】１つ以上の実施形態に従った、液体乾燥剤空調ユニットについての様々な例示的な膜構造を例示する。
【発明を実施するための形態】
【０００９】
参照によって本明細書に組み込まれる米国特許第９，２４３，８１０号は、新たな種類の液体乾燥剤システムを開示している。システムは、調整器１０１及び再生器１０２を含み、その両方は、内部に窪んだプレート構造の集合を含む。熱伝達流体は、冷源１０７及び熱源１０８において生じ、プレート１０１、１０２に侵入する。１１４、１１５における液体乾燥剤溶液は、プレートの外面にもたらされる。液体乾燥剤は、気流１０３、１０５とプレートの表面との間に位置する薄い膜の背後にある。プレートからの液体乾燥剤は、１１１及び１１２において収集される。熱交換器１１３は、乾燥剤が湿気を吸収するにつれてそれが希釈される冷板から、調整器パネル１０１に戻る前に乾燥剤が再濃縮される熱板１０２まで液体乾燥剤が伝達されるにつれて、熱損失を最小化するために使用される。外部熱源１０８及び外部冷源１０７はまた、蒸発器及び再生器が液体乾燥剤を直接冷却及び加熱するために使用されてもよく、または熱伝達流体を加熱及び冷却する他の構成において使用されてもよい、冷却機システム１１６であることができる。調整器は、空気１０３を処理し、供給し１０４、再生器は、排気及び外気の混合１０５を処理し、排出する１０６。乾燥剤１１４及び１１５を加熱する圧縮器１１６が示されるが、従来技術に示されるように、水熱交換器への冷却剤を使用して熱源として動作することもできる。
【００１０】
熱交換器１１３は、調整器から冷却液体乾燥剤１１１を取り、それが１１５において再生器に侵入する前にそれを温める。熱液体乾燥剤１１２は、それが１１４において調整器に侵入する前に冷却される。１０９及び１１０は、冷源及び熱源から調整器及び再生器への熱伝達流体の流れを示す。熱交換器１１３の役割は重大である。冷却調整器と熱再生器との間の液体乾燥剤の交換は、冷源及び熱源が更に作用する必要があるので、著しい熱損失につながることがある。液体乾燥剤の流れを最小化することは、所与のサイズの熱交換器についての熱損失を低減させ、またはより小さい熱交換器が使用されることを可能にする。広範囲の流れ及び状態にわたって液体乾燥剤のより低い流れが調整器または再生器の潜在的な有効性を低減させるが、より低い割合での有効性における損失が低減した熱損失からの利得よりも小さい、類似のシステムのモデル化が示されてきた。
【００１１】
図２は、気流２０１と共に対向流においてプレートの中心を通じて流れる冷却流体（熱伝達流体）２０４を有する単一の膜プレートアセンブリの断面を示す。液体乾燥剤２０３は、パネル２０５の外面上を流れ、膜２０２の背後を流れる。調整器では、熱は、２０７の空気の中から熱伝達流体２０８によって直接吸収され、または空気の中の湿気が液体乾燥剤２０６によって吸収されるにつれて間接的に吸収される。吸収によって生じた熱は次いで、熱伝達流体２０８に伝達される。
【００１２】
図３Ｄは、パネル３０３の間を流れる熱伝達流体３０４及びパネル３０３と膜３０１との間を流れる液体乾燥剤との３つの流体熱交換器の同一の構造を示す。図３Ａ、３Ｂ、３Ｃにおいて代替物が示され、そこでは、液体乾燥剤及び空気との２つの流体熱交換器において液体乾燥剤の同様の薄層が示され、液体乾燥剤の薄い皮膜は、プレート３０３と膜３０１との間または２つの膜３０１の間のいずれかを流れる。
【００１３】
図４は、水平及び垂直の方位にあるパネル４０４の様々な集合を示す。空気４０１の対向流及び水（または、他の熱伝達流体）４０２／４０５は、熱交換器の性能を最大化する。４１０への乾燥剤の流れ４０３は、並列、交差、または対向流であることができる。図４は、部分的な重力駆動流において液体乾燥剤の水平の方位を必要とする実施形態を示す。空気流及び水流は、水平及び垂直の両方であることができる。他の選択された居住及び輸送の適用の中での小型ユニットについての形状因子の最適化は、全ての３つの流れが水平になることを可能にするために望ましくする。本出願は、これをどのように行うことができるかを説明する。
【００１４】
米国特許第９，１０１，８７４号は、膜の膨張を止めるためにサイフォンをどのように使用することができるかを説明する。膨張は、気流を途絶させる。膜の背後の陰圧は、それを平坦のままにする。これは、熱伝達流体を囲む二重プレートに膜を封止するドットのより広い間隔を可能にする。特許はまた、垂直及び水平の流れ、交差、及び対向流を開示している。特許はまた更に、浸潤性を最適化するために表面の１つとしてまたは別個のシートとしてウィッキング材料をどのように使用することができるかを開示している。
【００１５】
本出願の図５及び６（米国特許第９，１０１，８７４号において開示されているように）は、液体乾燥剤が５１１において乾燥剤チャネルにどのように侵入し、膜５０３とパネル５０９との間でどのように流れるかを例示する。膜の膨張を制限するために、それは、５０２におけるパネルがタンク５０８に戻るポイント５０７において接続される。サイフォン５１４なしに、膜は、５０１において膨張し、空気チャネルを部分的にまたは完全に遮断する。吸収及び脱離を最大化し、熱交換抵抗を最小化するための液体乾燥剤流５０６を混合することが開示される。膜が５０７においてシート５０９に封止される。熱伝達流体は、シート５０９の内部で流れる。５０３における圧力は、陽圧である。タンク５０８は、乾燥剤を貯蔵するために使用される。
【００１６】
図５における流れは、重力及びサイフォンによって駆動されるとして説明され、乾燥剤に対して平坦な膜を吸い込むことによって６０１において膨張を最小化することを再度模索する、パネルの最初において及び大型サイフォン６１４において最後にもたらされる圧力６１１と共に図６における近傍水平パネルが示される。説明される１つの利点は、サイフォンが膜５０３とプレート５０９との間のドットに対する必要性を低減させることである。維持の間に液体乾燥剤のほとんどを排出させるために、わずかな角度が必要とされる。サイフォン機構または負のポンプの吸引は、支持プレート５０９を接続する必要性を最小化するために使用されてもよい。
【００１７】
課題は、液体乾燥剤の著しいサイフォンが、空気中で乾燥剤に引き込まれ、液体熱交換器において捕捉されるとき、その有効性を低減させることである。サイフォンがない、または少ない、主に陽圧の下で液体乾燥剤チャネルを動作させることを可能にすることは、その問題を取り除き、設計をより頑丈にする。
【００１８】
図７は、熱伝達及び乾燥剤チャネルを構造化するための従来技術の膜パネルアセンブリを開示する。それは、３つの層を示す。水（または、他の熱伝達流体）チャネル７０１は、グルーラインにより形成されてもよい。水チャネルが陰圧の下で動作するので、ネッティング７０２が追加され、グルードット７０５により定位置に保たれ、それは、水チャネルの両側面上でネッティングをプレート７０３に接続する。プレート７０３は、平坦であってもよく、またはチャネルの高さを決定する、ドット７０５により液体乾燥剤に対して０．１〜０．５ミリメートルのチャネルを生成するよう熱成型されてもよい。膜７０４は、ドット７０５において熱成型されたパネルに封止される。乾燥剤は、チャネル７０６を通じて多岐管７１０に流れる。課題は、乾燥剤が、温度及び濃度において、よって、粘度において変化する一方、チャネル内で液体乾燥剤の最適な分散及び被覆をどのように維持するかである。
【００１９】
図８は、膜をプレートに接着するための、乾燥剤の混合をもたらし、均一な熱及び水蒸気輸送が発生するための膜とプレートとの間の均一な確定距離を設定するよう、プレートの表面上で膨隆した機構８０１を示す。乾燥剤は、８０２においてパネルに侵入し、チャネル８０４を通じてプレートの幅にわたって分散され、パネル８０３の下方にパネルの中心から前方まで移動し、多岐管８０７に収集されるよう８０５において及び８０６を介して退出する。境界８０８は、中心の水チャネルを形成する２つの熱成型されたパネルを共に出口及び入口８１０と接続するために使用されてもよい。乾燥剤チャネルへの機構の高さは、典型的には０．５ミリメートルとして開示される。水チャネルの高さは典型的には、１．５及び２ミリメートルである。
【００２０】
図９は、熱成型された機構を有する更なる従来技術のパネル設計を示す。気流９０１は、膜（図示せず）によって被覆された熱成型されたシート９００上を流れる。乾燥剤は、９０２を通じて侵入し、９０６を介して退出する。水は、９０３を通じて侵入し、９０５を通じて退出する。膜は、乾燥剤チャネルの高さも決定する膨隆機構９０８及び９０４に取り付けられる。
【００２１】
全てのそれらの設計は、液体乾燥剤の温度及び濃度が変化する一方、膜の背後で非常に薄い液体乾燥剤膜の被覆及び分散をどのように維持するか、の同様の課題を有する。本明細書で開示される様々な実施形態は、それらの課題に対処する。
【００２２】
液体乾燥剤空調システムの性能は、空気を除湿する液体乾燥剤の能力に決定的に依存し、それは、熱伝達流体によって同時に冷却または加熱される。米国特許第９，１０１，８７４号は、窪みプレート及び管を含む、様々な膜モジュール構造を開示している。腐食性熱交換器は、液体乾燥剤を包含するためにポリマを使用する。ほとんどの金属は、高度に濃縮した液体乾燥剤によって即時に腐食する。特許は、湿気が通過することを可能にするが液体乾燥剤を包含する高度に浸透性のある膜によって乾燥剤がどのように包含されるかを説明している。ポリマ及び膜の両方は、高度に疎水的であり、そのようなシステムの効率性は、液体乾燥剤の低い流れ及び液体乾燥剤によるパネルの高い被覆の組み合わせにより駆動される。
【００２３】
液体乾燥剤の流れは、重みの観点で、流量または空気及び水の約１０分の１〜２０分の１である。
【００２４】
液体乾燥剤によるパネルの高い被覆は、液体乾燥剤の皮膜が非常に薄く（例えば、０．１〜０．３ミリメートル）均一であることを必要とする。液体乾燥剤による膜の浸潤性は、パネル効率性を改善する重大な因子である。しかしながら、疎水性膜と疎水性パネル液体乾燥剤との間は、膜の背後で乾燥剤の「細流」においてパネルの部分に対して濃縮する傾向がある。１００度を上回る乾燥剤と様々なプラスチックとの接触角により、乾燥剤は拡散しない。ウィッキング材料を追加することによって疎水性を低減させることが開示されている。それは、乾燥剤の拡散を改善し、乾燥剤のほとんどを特定の経路に沿ってのみ流れさせ、流量の分散における大きな差につながる。
【００２５】
幾何学形状が膜の浸潤性を駆動する重大な因子である、広範囲にわたる実験及びモデル化が示されている。圧力の下でチャネルを通じて乾燥剤を押すことによって、乾燥剤は、チャネルを完全に満たすよう拡散する。液体乾燥剤の粘度は、全浸潤性を維持することができる流量及び圧力を決定する。高い動的な粘度、流量は、一定の圧力において減少する。液体乾燥剤の粘度が低下するとき、流量は、一定の圧力において増大し、または圧力は、流量を一定に維持するために下がる必要がある。乾燥剤の温度を増大させ、乾燥剤の濃度を低下させることによって、液体乾燥剤が低減する場合の動的な粘度である。完全な浸潤性を維持するために、パネル内に圧力は、陽圧に保持する必要がある。
【００２６】
液体乾燥剤の薄い皮膜では、チャネルの高さは、流量の重要な決定因子である。チャネルが非常に高い場合、浸潤性が下がる。チャネルの高さを決定する重大な因子は、膜とパネルとの間の接続点の高さ、及び接続点の間の膜の膨張または屈曲である。よって、接続点の数を最適化することは、重大な設計変数である。より多くの接続点は、膨張を低減させる。また、接続点は、空気を乾燥剤に晒さず、よって、パネルの除湿能力を低減させる。３００×５００ミリメートルのパネルに対する３０００〜５０００ドットについて、ドットは、全領域の１０％よりも多くを使用することができる。これは、許容可能であり、理論上の最適さの９０％＋程度のパネルの潜在的な有効性による良好な実験結果につながっている。
【００２７】
所与のパターン及び高さの接続点は、既存分野において説明されるよう、熱成型を通じて生成されてもよい。射出成形及びエンボス加工は、２つの他のオプションである。平坦パネルも使用されてもよいが、接続点の間のより長い距離を必要とする。膜及びパネルが最初に接するところでクリープが生じる。熱封止と組み合わされた膜の開構造は、膜に対する潜在的な脆弱性になる。接続点の間のより長い距離は、接続点における応力を増大させ、よって、膜に対する損傷のリスクを増大させる。接続点の形状及びサイズも、応力を低減させるより大きなドットまたはより長いラインと共に重要である。
【００２８】
製造方法の選択を促す有意な因子は、パネルの平坦性、材料選択、及びパネル当たりのコストを含む。チャネルの高さが材料の膨張によってのみ動かされる場合、平坦パネルも使用されてもよい。モデル化及び実験は、予測流量、膜に対するモジュール、並びに液体乾燥剤の粘度及び圧力に応じて、５０〜５００までのドットの数の低減を示す。
【００２９】
パネル上の膜及びパネルの間の膜の非常に低い流量での分散を改善することは、パネルの流れ方向にわたって陽圧低下を必要とすると共に、液体乾燥剤の粘度に応じてこの圧力を調節する必要がある。ミリパスカル秒の動的な粘度は、液体乾燥剤の濃度及び温度から生じる。より冷たい、より高い濃度の乾燥剤は、より粘度がある。
【００３０】
パネルにおける流れは典型的には、パネルの最上部においてオーバフロー管を使用して、及びパネルの底部において、または底部の下で空気基準を使用して導出された圧力であった。関連する濃度及び温度のほとんどについて、システムは、パネルにおいて一定の高い圧力を維持する。高温度または低濃度においてのみが、流れの低下を維持するために必要な圧力である。パネルにわたる圧力が陰圧になるとき、被覆が低減し、パネルの潜在的な有効性が下がる。
【００３１】
流れ及び圧力制御は、液体乾燥剤の広範囲の温度及び濃度にわたって低い流れ、陽圧、及び高い被覆を維持する必要がある。それらはまた、加熱モード及び冷却モードの両方において調整器及び再生器の別個の動作を可能にする必要がある。設計は、乾燥剤皮膜の流量が、ポンド／分の気流の５分の１を上回らないことを保証するべきである。オーバフロー管圧力調節器は、圧力低下が管の高さよりも高くなるまで、パネルのブロックの最初における圧力が流量及び粘度によって決定されることを可能にする。次いで、液体乾燥剤の流れの一部は、タンクへと再度転換され、パネルを通じた流れは下がり、全チャネルにおいて陽圧を維持する。結果として、高粘度及び一定圧力において、パネルを通じた流れは低く、被覆をなおも維持し、汲み上げられた乾燥剤のほとんどは、オーバフローし、オーバフロー管を介してタンクに戻る。
【００３２】
液体乾燥剤におけるデルタ濃度が増大するので、低流量は、パネルの有効性を低減させる。しかしながら、液体乾燥剤の熱交換器を通じた熱損失が、流れが増大するにつれて下がるので、システムの効率性はなおも改善することができる。
【００３３】
液体乾燥剤の濃度が低下し、または温度が増大するにつれて、パネルを通じた流れが存在する流れと等しくなるまで流れが増大する。
【００３４】
水圧の０〜１０インチの侵入圧により、並びに水平及び垂直の両方の流れにおけるパネルの下の０〜４インチの参照点とのサイフォンにより、液体乾燥剤の温度及び濃度のどの範囲にわたって、０．１〜０．５ミリメートルの有効なチャネルの高さが１．５〜１５ミリメートル／秒の必要な流量を維持することができるかをモデル化は示してきた。濃度範囲は、適用のタイプに依存し、典型的には、２０〜３５％である。高温度における１５〜２５％のより低い目標範囲による適用は、より狭いチャネルから利益を得る。４０〜４５％のより高い濃度に対する必要性を有する適用は、特に、それらの濃度がより低い温度による加熱モードにおいて、次いで、冷却サイクルの間に必要となる場合、より広いチャネルから利益を得る。
【００３５】
液体乾燥剤システムでは、調整器と再生器との間の濃度における差は典型的には、２％よりも低い。外部状態及び制御に応じて、液体乾燥剤濃度は、パネルにおける結晶化または濃縮のリスクなしに、１０〜４５％で変化することがある。より典型的には、２０〜３５％の濃度は、システムを充填させるために必要とされる液体乾燥剤のタンクサイズ及び容積を最小化するように維持される。より狭い範囲は、システムのサイズ及び液体乾燥剤のコストを低減させる。
【００３６】
調整器と再生器との間の温度は典型的には、３０〜６０ファラドで異なる。結果として、暖房ユニットにおける液体乾燥剤の粘度は、冷却ユニットにおける粘度よりも低い。暖房ユニットにおいて冷却ユニットにおける流れと同一の流れを維持するために、広範囲の濃度にわたって温度における差によって駆り立てられる、暖房ユニットにおける５０〜７５％のより低い圧力低下を必要とする。オーバフロー管圧力調節器が使用されるとき、これは、５０〜７５％のより低いライザ管をもたらす。冷却モードでは、再生器は、暖房ユニットである。加熱モードでは、調整器は、暖房ユニットである。したがって、再生器の圧力制御デバイスは、システムが冷却から加熱に変更し、または戻るときに調節される必要がある。加熱モードでは、ライザ管の高さは、冷却モードにおける設定よりも４〜８倍高くてもよい。これは、例えば、高圧力に対して再生器ライザを設計し、低レベルの逃し弁が冷却モードにおいて開放されることを可能にすることによって達成されてもよい。
【００３７】
１つ以上の実施形態に従って、膜構造に対して様々なプレート及び他の構造設計が可能である。
【００３８】
一実施例では、プレートは、約５００×５００ミリメートルの寸法を有することができる。それらのプレートに対して、とりわけポリプロピレン、ポリカーボネート、ポリエチレンのようなプラスチックを含む様々な材料が使用されてもよい。その耐腐食性品質を理由にではあるが、耐腐食材料により被覆された金属パイピング、例えば、プラスチックにより被覆された管またはプレートをも理由に、チタニウムを含む他の金属も使用されてもよい。後者は、冷却流体としての冷却剤の使用を可能にし、それによって、冷却剤−熱伝達流体の熱交換器に対する必要性を取り除く。
【００３９】
２００〜３００ミリメートルのより小さなパネルは、熱交換器のサイズ及び重みと共に、所与の気流に対してパネルを通じた圧力低下及びエンタルピ負荷を低減させることができる。２．５ミリメートルを下回るエアギャップは、空気を換気するためのチャネルの内部の機構に対する必要性を取り除くことが証明されている。より狭い空のエアギャップは、膜の摩耗を低減させ、信頼性を改善するが、パネルの平坦性及び乾燥剤チャネルの良好に制御された高さに対する追加の要件を課す。チャネルの膨張は、チャネルにおいて孤立することなく、パネルが狭くなるにつれて更に問題になる。
【００４０】
産業的適用において特に重要である異なる形状因子を提供する、２００ミリメートルから１０００ミリメートルまでのより高く、より短いパネルも可能である。
【００４１】
薄い皮膜を生成する際の有意な因子は、０．５ミリメートル未満となるはずである、液体乾燥剤チャネルの深さである。０．１〜０．２５ミリメートルのチャネルの高さが適切であると見られている。より薄いチャネルは、乾燥剤の流量を低減させ、それは、均一な乾燥剤の流れ及び膜の浸潤性を達成することができる限り、全体的なシステム効率性を増大させることが示されている。
【００４２】
チャネルの高さは、膜が取り付けられる（存在する場合）膨隆機構の高さ、及び機構または取付点の間の膜の膨張によって決定される。
【００４３】
図１０は、液体乾燥剤の粘度、濃度、及び温度の間の実験的関係を示すと共に、いくつかの理論的近似１００１は、調整器濃度の典型的な集合を示す。例えば、熱く乾燥した状態にある極端に高い濃度が１００２に示され、熱ポンプモードにあるシステムにおける潜在的な粘度の全範囲が１００３に示される。
【００４４】
図１１Ａは、１つ以上の実施形態による、例示的な液体乾燥剤流動システムを例示する。乾燥剤は、タンク１１０１から調整器ブロック１１０２及び再生器ブロック１１０３に汲み上げられる。ここで、実施形態において調整器の上の再生器ブロックが示される。並列したユニットまたは再生器の上の調整器を有する他の実施形態も使用される。それらは、ユニットに対する必要とされる形状因子にほとんど依存する。この実施形態におけるパネルはここで、空気供給のための水平気流１１０２ａ及び再生器気流のための１１０３ｂ、熱伝達流体のための対向流（１１０２ｂ／１１０３ｂ）、並びに液体乾燥剤に対する水平交差流（１１０２ｃ／１１０３ｃ）と共に垂直方位において示される。垂直空気及び熱伝達流体と共に水平液体乾燥剤の流れも開示されており、形状因子及び気流設計における柔軟性をもたらす。
【００４５】
図１１Ｂは、乾燥剤タンク１１０１から調整器ブロック１１０２及び再生器ブロック１１０３を通じた液体乾燥剤の流れを示す。乾燥剤は、ブロックを通じて１１０４により圧力／流量調節器１１１１に汲み上げられる。ポンプ１１０５は、液体乾燥剤を液体乾燥剤熱交換器１１０６に送る。次いで、希釈された液体乾燥剤は次いで、圧力／流量調節器１１１２を介してブロック１１０３を通じて送られ、ライザ１１１１及び１１１２の高さが、特に液体乾燥剤の動作状態にリンクされる。より高いライザは、より冷たく、より濃縮した液体乾燥剤に対して必要とされる。
【００４６】
ブロック１１１５を通る液体乾燥剤は、１１１６を介してタンクに転換されてもよい。これは、調整器が再生器と独立して動作することを可能にする。同様に、１１１７は、調整器からの流れが低く、または再生器が独立して動作する場合、追加の乾燥剤が再生器に追加されることを可能にする一方向弁である。弁１１３１は、ポンプの維持のための隔離弁であり、流れを直接規制する役割を有さない。１１１１からのオーバフローは、１１１４を介してタンクに方向付けられる。再生器圧力／流量コントローラ１１１２からのオーバフローは、１１１８を介して再生器から流れ１１１９に再度方向付けられ、熱交換器を介してタンクに戻る。
【００４７】
タンクと再生器との間に熱交換器を配置する選択肢は、周囲を十分に下回る温度を提供し、低温度において再生するシステムに対して適切である。高濃度における深い除湿及び高再生温度は、タンクと調整器との間の熱交換器をより魅力のあるものにする。
【００４８】
図１１Ｃは、再生器について１１１２に示されるように、最上部において乾燥剤をブロックにどのように供給するかを示す。圧力流量調節器１１１１は、１１１５において、乾燥剤がブロックに侵入することを可能にする。１１１０における乾燥剤の高さは、一定の乾燥剤の流れを維持するために必要とされる圧力を反映する。一定の流れを維持するために必要とされる圧力が１１１０ｂにおいてライザ管の高さを上回る場合、１１１４において超過した液体乾燥剤がタンクに戻る。
【００４９】
液体乾燥剤についての結果として生じる圧力の流れの特性が図１２に示される。低い液体乾燥剤の粘度において、すなわち、低濃度及び／または高温度において、パネルの最初における圧力１２０１が増大するにつれて流れは一定である。濃度が上昇し、及び／または温度が低減するにつれて、液体乾燥剤の粘度が増大する。一定の流れ１２０２ａを維持するために必要とされる圧力がライザ管１２０１ｂの高さを上回るとき、パネルを通じた流れが低減し始める１２０２ｂ。
【００５０】
非常に低い粘度において、パネルにわたって陽圧低下１２０４を維持するために、流れ１２０３を増大させる必要があり得る。
【００５１】
図１３は、実際のパネル設計のシミュレーションに基づいて、パネルにおける結果として生じる流量及び圧力低下を示す。パネルの最初における圧力は、センチメートルまたはインチの水において１３０１に示される。パネルの最上部における圧力は、１３０２に示され、それは、多岐管に抵抗を反映する。１３０３は、膜の背後の乾燥剤皮膜の最上部における結果として生じる圧力を示す。膜の底部において、圧力低下は、サイフォン１３０５が使用されるときに陰圧であり、またはパネルの底部と同一の高さにおいて空気基準によりゼロである。パネルを通じた圧力における段階的な低下により良好な被覆及び分散が達成される。パネルが乾燥剤チャネルを通じて陽圧を有さない場合、それは次いで、完全には充填されず、被覆及び分散が困難になる１３０６。図１３は、６０ミリリットル／分の最小流量が２０％のＬｉＣｌ及び１０インチの圧力低下による２５Ｃにおける良好な被覆に対して必要とされ、３８％の液体乾燥剤の濃度による１３１３において、２０ミリリットル／分の流れが同一の圧力低下を維持し、よって、良好な被覆を維持することを示す。
【００５２】
再度、課題は、温度及び濃度の全範囲にわたって膜の均一な分散及び被覆をどのように維持するかである。
【００５３】
図１４Ａは、プレート構造上のエンボス加工または熱成型された膨隆機構１４０１、及び膜１４０２の柔軟性／畝りの組み合わせを使用した、１つ以上の実施形態による、例示的な均一な液体乾燥剤チャネルの形成を示す簡易断面図である。典型的には、約０．１〜０．３ミリメートルの熱成型された高さ１４０３は、０．２〜０．５ミリメートルの全高１４０４を維持するために使用される。チャネルの幅は、この例示的な実施形態において３００ミリメートルでモデル化される。熱封止されたドット１４０６の間の距離１４０５は、高いドットに対して１〜３センチメートルで変化し、平坦パネルに対して２〜６センチメートルで変化する。これは、２０〜３５％の濃度を有する液体乾燥剤に対してパネルにわたって３〜６インチの圧力低下による４〜１２ミリメートル／秒の乾燥剤の流量を可能にする。
【００５４】
図１４Ｂは、膨隆し熱成型された機構ではないが、熱封止機構のパターンにより、同一の有効な高さ寸法をどのように達成することができるかを示し、熱封止は、膜１４０２のせん断を最小化するように形状付けられたドット、楕円形、またはラインであってもよい。
【００５５】
図１４Ｃ及び１４Ｄは、平坦構造においてチャネルの高さの制約がパネル１４１１の外部で外気１４１３をどのように有し、パネル１４１１の内部で熱伝達流体１４１２をどのように有するかを示す。液体乾燥剤は、パネルと膜との間を流れる。シート１４０１は、複数の層、例えば、腐食を防止する非常に薄いポリマ層１４０１及び高強度金属層１４１０から構成されてもよい。後者のケースでは、熱伝達流体は、シート１４１０によって形成されたチャネルが冷却剤の高圧力に耐えるように設計されることを想定した冷却剤であってもよい。
【００５６】
図１４Ｅは、断面における管状チャネルを示し、そこでは、シート１４０１が熱伝達流体による管を形成するよう湾曲し、膜１４０２が熱伝達流体１４１２を囲むシートに対して間隔１４０６において封止される。空気１４１３は、膜１４０２にわたって流れ、液体乾燥剤１４１１により除湿される。管寸法１４２０及び１４２１の比率は、熱交換器の必要性に応じて、１:１から１:１０に変化してもよい。
【００５７】
パネルの形状は、コスト、強度、形状因子、及びシステム要件によって動かされる。しかしながら、以下で説明される圧力制御機構により熱伝達チャネルを囲むシートに膜を熱封止する機構のパターンを通じて生成された薄いチャネルの幾何学形状の組み合わせは、乾燥剤の均一な分散及び膜の浸潤性を保証することができる。
【００５８】
１つ以上の実施形態による、様々な代替的なパネル構造の例が図１４Ｆ〜１４Ｋに示される。図１４Ｆは、それに熱封止された膜を有する突起したポリマ管の断面を示す。突起したチャネルの１つ以上は、液体乾燥剤に対して多岐管として使用されてもよい。チャネルは、気流１４０３による熱伝達流体の対向流を保証するために水平または垂直であってもよい。
【００５９】
異なる代替的な設計が図１４Ｇに示され、そこでは、非常に薄いポリマシート１４０１は、熱伝達流体１４１２に対してチャネルに真空形成された同様の柔軟シート１４０９に、及び液体乾燥剤１４１１に対してチャネルを生成する膜１４０２に封止される。そのような柔軟構造は、膜の間で一貫した空気チャネルを生成するための外部フレームを伴うことがあるが、ポリマシート１４０１が十分に薄い場合、コスト効率が良く、効果的である。
【００６０】
図１４Ｈは、チャネルの高さ及び膜せん断に対して最適化された熱封止１４０６のパターンを再度通じて膜１４０２に熱封止された膜被覆シート１４０１を示す。シートは、熱伝達流体１４１２に対してチャネルを形成するように形状付けられてもよい。
【００６１】
図１４Ｉは、管の幅及び高さの比率が変化してもよい熱交換器を生成するために図１４Ｅの管状チャネルをどのように使用することができるかを示す。１４３０は、断面において、シート材料がどのようにして再度、ポリマまたはポリマ被覆金属のいずれかであることができることを示す。
【００６２】
図１４Ｊ及び１４Ｋは、パネルが追加の強度のために波状構造に湾曲することができる水平位置にあるパネルを示す。複合金属／ポリマシートの使用は、強度を追加することができ、熱伝達を改善することができる。複合チャネルが冷却剤と共に使用される場合、冷却剤−熱伝達流体の熱交換器に対する必要性を取り除くことができ、よって、システム効率性を改善する。
【００６３】
１つ以上の実施形態では、膜モジュールを通じて液体乾燥剤を送るために、流量調節器と共に一定速度の液体乾燥剤ポンプが使用される。代わりに、膜モジュールを通じて液体乾燥剤を移動させるために、可変速度のポンプが使用される。
【００６４】
非限定的な実施例：様々な例示的な液体乾燥剤空調システムの実施形態は、以下の動作機構を含んでもよい。
１．１０〜２０立方フィート／分の設計気流により２０〜５０センチメートル及び５０センチメートル幅のパネルに対してパネルごとの０．０１〜０．１リットル／分における乾燥剤の流量
２．流量は、全気流及び全作用により増大する
３．全気流は、パネル高に比例する
４．それらの流量において、１のチャネルの高さは、接続点の高さ、膜の係数、及び膜の接続点の間の距離によって決定される
５．裏材がない２０ミクロンの膜について、機構の間の距離は、平坦パネルに対して２〜５センチメートルであり、０．１〜０．１５ミリメートルの接続点に対して０．５〜１センチメートルである。接続点の間の関連する距離（最大距離）は、接続点の高さが低くなるにつれて増大する。
６．接続点の全表面領域は、パネルの１５％を上回らない。
７．接続機構の高さは、突起したシートを熱成型もしくはエンボス加工することによって、または射出成形によって生成される
８．機構は、ドットまたはラインであってもよい。
９．乾燥剤の冷却は、熱伝達流体または冷却剤であってもよい。
１０．冷却が、高圧力に耐えることができる、通常は銅製の溶接金属構造を通じた冷却剤によるものであるとき、膜に接続された耐腐食性シートへの／からの熱を伝達する。接続点の高さ及び接続点の間の距離は、膜が接着される耐腐食性シートによる被膜の前の金属構造、例えば、薄いＰＥ層によって設定されてもよい。
１１．平坦被覆金属シートは、接続点の間で２〜５センチメートルの距離を有する。
１２．接続点は、ドットまたはラインであってもよい。
１３．チャネルの高さは、乾燥剤の流れにわたってより大きな制御によるより高いコストのパネルに対して親水性材料、シート上またはチャネル内のウィッキング層または被膜を使用して増大することができる
１４．パネルの上下の空気基準は、最高基準点と最低基準点との間の距離に等しい、パネルに侵入及び退出する乾燥剤に対して圧力を設定するために使用されてもよい。パネルにおける圧力勾配は、陽圧、すなわち、パネルにおいてより高い圧力であるはずである。
１５．平坦パネルにおけるチャネルの高さは、垂直パネルにおける高さよりも高い、最大で１００％である。
１６．パネルにおける流れは、流量が温度及び濃度と共に変化することを可能にする駆動された圧力である。固定された流量は、高濃度及び低温度において接続点上の過度な圧力につながり、低濃度及び高温度において低被覆による重力駆動流につながる。
１７．再生器パネルの側面にわたる圧力は、冷却モードにある調整器よりも２〜４倍の圧力であり、加熱モードでは逆である。
１８．圧力基準点の高さは、システムが冷却モードから加熱モードに切り替わるにつれて変化する。
【００６５】
よって、いくつかの例示的な実施形態を説明したが、様々な変形、修正、及び改善が当業者に対して容易に行われることが認識されることになる。そのような変形、修正、及び改善は、本開示の一部を形成することが意図され、本開示の精神及び範囲内にあることが意図される。本明細書で提示されるいくつかの実施例は、機能及び構造的要素の特定の組み合わせを伴うが、それらの機能及び要素は、同一または異なる目的を達成するために、本開示に従った他の方式において組み合わされてもよいことが理解されるべきである。特に、一実施形態と関連して議論される動作、要素、及び機構は、他の実施形態における、同様または他の役割から排除されることを意図されない。加えて、本明細書で説明される要素及びコンポーネントは、追加のコンポーネントに更に分割されてもよく、または同一の機能を実行するためのより少ないコンポーネントを形成するように共に結合されてもよい。したがって、上述した説明及び添付図面は、例示にすぎず、限定することを意図していない。
【図１】
2021501684.tif 000003
【図２】
2021501684.tif 000004
【図３Ａ】
2021501684.tif 000005
【図３Ｂ】
2021501684.tif 000006
【図３Ｃ】
2021501684.tif 000007
【図３Ｄ】
2021501684.tif 000008
【図４】
2021501684.tif 000009
【図５】
2021501684.tif 000010
【図６】
2021501684.tif 000011
【図７】
2021501684.tif 000012
【図８】
2021501684.tif 000013
【図９】
2021501684.tif 000014
【図１０】
2021501684.tif 000015
【図１１Ａ】
2021501684.tif 000016
【図１１Ｂ】
2021501684.tif 000017
【図１１Ｃ】
2021501684.tif 000018
【図１２】
2021501684.tif 000019
【図１３】
2021501684.tif 000020
【図１４Ａ】
2021501684.tif 000021
【図１４Ｂ】
2021501684.tif 000022
【図１４Ｃ】
2021501684.tif 000023
【図１４Ｄ】
2021501684.tif 000024
【図１４Ｅ】
2021501684.tif 000025
【図１４Ｆ】
2021501684.tif 000026
【図１４Ｇ】
2021501684.tif 000027
【図１４Ｈ】
2021501684.tif 000028
【図１４Ｉ】
2021501684.tif 000029
【図１４Ｊ】
2021501684.tif 000030
【図１４Ｋ】
2021501684.tif 000031
【国際調査報告】
2021501684.tif 000032
2021501684.tif 000033
2021501684.tif 000034